Podtech/llm-jp-corpus-v4-ja_patent huggingface dataset:
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
眼科外科手術用デバイスであって、
フィラメントと、
細長い要素に連結されたシャフトと、
前記フィラメントに恒久的に連結され、前記シャフト内を自由にスライドするように構成されているアクチュエータと、
細長い要素と
を備え、
前記フィラメントは、前記細長い要素を通して後退および展開可能であり、前記フィラメントは、前記細長い要素内で後退されている場合、線形構成を有し、前記細長い要素から展開されている場合、非線形構成を有する、デバイス。
【請求項２】
前記細長い要素は、鋭い先端を有するカニューレである、請求項１に記載の眼科外科手術用デバイス。
【請求項３】
前記フィラメントは、形状記憶材料を備えている、請求項１に記載の眼科外科手術用デバイス。
【請求項４】
前記形状記憶材料は、ニチノールである、請求項３に記載の眼科外科手術用デバイス。
【請求項５】
前記非線形構成は、ループである、請求項１に記載の眼科外科手術用デバイス。
【請求項６】
前記アクチュエータに連結されたアクチュエータハンドルと、
前記シャフトまたは前記細長い要素に連結されたシャフトハンドルと、
通気口と、
フィラメント停止部と
をさらに備えている、請求項１に記載の眼科外科手術用デバイス。
【請求項７】
前記アクチュエータハンドルは、親指支持部を備えている、請求項６に記載の眼科外科手術用デバイス。
【請求項８】
前記シャフトハンドルは、指支持部を備えている、請求項６に記載の眼科外科手術用デバイス。
【請求項９】
前記通気口は、流体および／またはガスが、途中で体積または圧力を損失することなく、前記通気口と前記細長い要素の遠位開口部との間を通ることができるように、前記シャフトおよび前記細長い要素と密閉連通している、請求項６に記載の眼科外科手術用デバイス。
【請求項１０】
前記フィラメント停止部は、前記フィラメントが、前記細長い要素内に完全に後退することを防止するように構成されている、請求項６に記載の眼科外科手術用デバイス。
【請求項１１】
物体を操作するためのデバイスであって、
フィラメントと、
細長い要素と
を備え、
前記フィラメントは、前記細長い要素を通して後退および展開可能であり、前記フィラメントは、前記細長い要素内で後退されている場合、線形構成を有し、前記細長い要素から展開されている場合、非線形構成を有する、デバイス。
【請求項１２】
前記細長い要素は、鋭い先端を有するカニューレである、請求項１１に記載のデバイス。
【請求項１３】
前記フィラメントは、形状記憶材料を備えている、請求項１１に記載のデバイス。
【請求項１４】
前記形状記憶材料は、ニチノールである、請求項１３に記載のデバイス。
【請求項１５】
前記非線形構成は、ループである、請求項１１に記載のデバイス。
【請求項１６】
電力が必要とされない、請求項１１に記載のデバイス。
【請求項１７】
前記フィラメントは、網膜剥離修復術に関連して使用される、請求項１１に記載のデバイス。
【請求項１８】
前記フィラメントは、位置ずれした眼内レンズまたは眼内異物の除去に関連して使用される、請求項１１に記載のデバイス。
【請求項１９】
前記フィラメントは、眼内断片を切断することに関連して使用される、請求項１１に記載のデバイス。
【手続補正２】
【補正対象書類名】明細書
【補正対象項目名】０００７
【補正方法】変更
【補正の内容】
【０００７】
本発明は、例えば、以下を提供する：
（項目１）
眼科外科手術用デバイスであって、
フィラメントと、
細長い要素に連結されたシャフトと、
前記フィラメントに恒久的に連結され、前記シャフト内を自由にスライドするように構成されているアクチュエータと、
細長い要素と
を備え、
前記フィラメントは、前記細長い要素を通して後退および展開可能であり、前記フィラメントは、前記細長い要素内で後退されている場合、線形構成を有し、前記細長い要素から展開されている場合、非線形構成を有する、デバイス。
（項目２）
前記細長い要素は、鋭い先端を有するカニューレである、項目１に記載の眼科外科手術用デバイス。
（項目３）
前記フィラメントは、形状記憶材料を備えている、項目１に記載の眼科外科手術用デバイス。
（項目４）
前記形状記憶材料は、ニチノールである、項目３に記載の眼科外科手術用デバイス。
（項目５）
前記非線形構成は、ループである、項目１に記載の眼科外科手術用デバイス。
（項目６）
前記アクチュエータに連結されたアクチュエータハンドルと、
前記シャフトまたは前記細長い要素に連結されたシャフトハンドルと、
通気口と、
フィラメント停止部と
をさらに備えている、項目１に記載の眼科外科手術用デバイス。
（項目７）
前記アクチュエータハンドルは、親指支持部を備えている、項目６に記載の眼科外科手術用デバイス。
（項目８）
前記シャフトハンドルは、指支持部を備えている、項目６に記載の眼科外科手術用デバイス。
（項目９）
前記通気口は、流体および／またはガスが、途中で体積または圧力を損失することなく、前記通気口と前記細長い要素の遠位開口部との間を通ることができるように、前記シャフトおよび前記細長い要素と密閉連通している、項目６に記載の眼科外科手術用デバイス。
（項目１０）
前記フィラメント停止部は、前記フィラメントが、前記細長い要素内に完全に後退することを防止するように構成されている、項目６に記載の眼科外科手術用デバイス。
（項目１１）
物体を操作する方法であって、
フィラメントを提供するステップと、
細長い要素を提供するステップと
を含み、
前記フィラメントは、前記細長い要素を通して後退および展開可能であり、前記フィラメントは、前記細長い要素内で後退されている場合、線形構成を有し、前記細長い要素から展開されている場合、非線形構成を有する、方法。
（項目１２）
前記細長い要素は、鋭い先端を有するカニューレである、項目１１に記載の方法。
（項目１３）
前記フィラメントは、形状記憶材料を備えている、項目１１に記載の方法。
（項目１４）
前記形状記憶材料は、ニチノールである、項目１３に記載の方法。
（項目１５）
前記非線形構成は、ループである、項目１１に記載の方法。
（項目１６）
電力が必要とされない、項目１１に記載の方法。
（項目１７）
前記フィラメントは、網膜剥離修復術に関連して使用される、項目１１に記載の方法。
（項目１８）
前記フィラメントは、位置ずれした眼内レンズまたは眼内異物の除去に関連して使用される、項目１１に記載の方法。
（項目１９）
前記フィラメントは、眼内断片を切断することに関連して使用される、項目１１に記載の方法。
本開示の種々の実施形態による眼科外科手術用デバイスは、細長い要素およびフィラメントを備えている。本デバイスは、シャフト、アクチュエータ、アクチュエータハンドル、シャフトハンドル、通気口、およびフィラメント停止部のうちの１つ以上をさらに備え得る。本デバイスは、網膜剥離修復術におけるように物体を機械的に押しつけるため、位置ずれした眼内レンズまたは眼内異物の除去におけるように物体を握持するため、流体を吸引するため、および眼内レンズ断片等の物質を切断するために使用され得る。
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
マルチキャスト制御チャネル（ＭＣＣＨ）変更通知を構築することと、
第２のセルの第２の周波数上で第１のセルの第１の周波数についてのキャリア周波数インデックスを有する前記ＭＣＣＨ変更通知を送ることと
を備える、発展型ノードＢ（ｅＮＢ）のワイヤレス通信の方法。
【請求項２】
前記ＭＣＣＨ変更通知は、物理ダウンリンク制御チャネル（ＰＤＣＣＨ）内で送られる、
請求項１に記載の方法。
【請求項３】
前記ＭＣＣＨ変更通知は、ダウンリンク制御情報（ＤＣＩ）内で送られる、
請求項２に記載の方法。
【請求項４】
前記ＤＣＩは、ＤＣＩフォーマット１Ｃメッセージ内で送られる、
請求項３に記載の方法。
【請求項５】
前記ＤＣＩは、前記ＭＣＣＨ変更通知が適用される前記第１のセルの周波数インデックスを識別する前記キャリア周波数インデックスをさらに含む、
請求項３に記載の方法。
【請求項６】
前記第１のセルからの前記第１のセルについての前記ＭＣＣＨ変更通知を送ることをさらに備える、
請求項１に記載の方法。
【請求項７】
前記第１のセルについての前記ＭＣＣＨ変更通知は、前記第１のセルと前記第２のセルから同時に送られる、
請求項６に記載の方法。
【請求項８】
少なくとも１つのＵＥの各々からマルチメディアブロードキャストマルチキャストサービス（ＭＢＭＳ）関心インジケーションメッセージを受信することと、ここにおいて、前記少なくとも１つのＵＥの各々からの前記ＭＢＭＳ関心インジケーションメッセージのうちの少なくとも１つは、前記第１の周波数を含む少なくとも１つの関心のある周波数を指定する、
前記指定された少なくとも１つの関心のある周波数に基づいて、前記第１のセルについての前記ＭＣＣＨ変更通知を送ることを決定することと  
をさらに備える、請求項１に記載の方法。
【請求項９】
前記少なくとも１つの関心のある周波数が前記周波数を含まないとき周波数についての第２のＭＣＣＨ変更通知を送らないようにすることを決定することをさらに備える、
請求項８に記載の方法。
【請求項１０】
ＵＥが前記第２のセルから通信を受信することができると決定することと、
ＵＥが前記第２のセルから通信を受信することができるとの前記決定に基づいて前記第２のセルから前記ＭＣＣＨ変更通知を送ることを決定することと
をさらに備える、請求項８に記載の方法。
【請求項１１】
前記ｅＮＢによって送信された各周波数上で前記ＭＣＣＨ変更通知を送ることをさらに備える、
請求項１に記載の方法。
【請求項１２】
プライマリセルからのプライマリキャリアと、１つまたは複数の対応するセカンダリセルからの１つまたは複数のセカンダリキャリアとを備える、アグリゲートされたキャリアを有する構成を受信することと、
第２のセルの第２の周波数上で第１のセルの第１の周波数についてのキャリア周波数インデックスを有するマルチキャスト制御チャネル（ＭＣＣＨ）変更通知を受信することと
を備え、前記第１のセルと前記第２のセル各々は、前記プライマリセルおよび前記セカンダリセルのうちの１つである、
ユーザ機器（ＵＥ）のワイヤレス通信の方法。
【請求項１３】
マルチメディアブロードキャストマルチキャストサービス（ＭＢＭＳ）関心インジケーションメッセージを送信することをさらに備え、前記ＭＢＭＳ関心インジケーションメッセージは、前記第１の周波数を含む少なくとも１つの関心のある周波数を指定し、前記第１のセルについての前記ＭＣＣＨ変更通知は、前記ＭＢＭＳ関心インジケーションメッセージに応答して受信される、
請求項１２に記載の方法。
【請求項１４】
マルチキャスト制御チャネル（ＭＣＣＨ）変更通知を構築するための手段と、
第２のセルの第２の周波数上で第１のセルの第１の周波数についてのキャリア周波数インデックスを有する前記ＭＣＣＨ変更通知を送るための手段と
を備える、ワイヤレス通信のための発展型ノードＢ（ｅＮＢ）。
【請求項１５】
プライマリセルからのプライマリキャリアと、１つまたは複数の対応するセカンダリセルからの１つまたは複数のセカンダリキャリアとを備える、アグリゲートされたキャリアを有する構成を受信するための手段と、
第２のセルの第２の周波数上で第１のセルの第１の周波数についてのキャリア周波数インデックスを有するマルチキャスト制御チャネル（ＭＣＣＨ）変更通知を受信するための手段と
を備え、前記第１のセルと前記第２のセル各々は、前記プライマリセルおよび前記セカンダリセルのうちの１つである、
ワイヤレス通信のためのユーザ機器（ＵＥ）。
【請求項１６】
請求項１−１１、または１２、または１３のうちのいずれか一項の方法を実行するためのコードを備える、ワイヤレス通信のためのコンピュータが実行可能なコードを記憶する、
コンピュータ可読媒体。
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおける動作のために構成されたアクセス端末において動作可能なワイヤレス通信の方法であって、
所定のゲーティングパターンを利用して逆方向リンクトラフィックチャネルを送信すること
を備え、
前記アクセス端末において、前記ワイヤレス通信ネットワークの性能メトリックを判断することと、
前記ワイヤレス通信ネットワークの前記性能メトリックに従って、前記アクセス端末において、前記所定のゲーティングパターンを利用することを中止することを判断することと
によって特徴付けられる、方法。
【請求項２】
前記ワイヤレス通信ネットワークの前記性能メトリックが、基地局の順方向リンク電力制御設定点を備える、請求項１に記載の方法。
【請求項３】
前記所定のゲーティングパターンを前記利用することを中止することを前記判断することは、前記順方向リンク電力制御設定点が最大設定点の所定の量内にあると判断することを備える、請求項２に記載の方法。
【請求項４】
前記ワイヤレス通信ネットワークの前記性能メトリックが、基地局によって利用されている擬似直交関数セットの数を備える、請求項１に記載の方法。
【請求項５】
前記所定のゲーティングパターンを前記利用することを中止することを前記判断することは、前記アクセス端末において受信された無線構成パラメータメッセージ中の所定の数よりも多いＰＮが、それぞれしきい値数よりも多い有効にされた擬似直交関数セットを有すると判断することを備える、請求項４に記載の方法。
【請求項６】
前記ワイヤレス通信ネットワークの前記性能メトリックが、順方向リンク送信に対応するフレーム消去の数を備える、請求項１に記載の方法。
【請求項７】
前記所定のゲーティングパターンを前記利用することを中止することを前記判断することは、しきい値数よりも多いフレーム消去が所定のウィンドウ内で生じると判断することを備える、請求項６に記載の方法。
【請求項８】
前記ワイヤレス通信ネットワークの前記性能メトリックに従って、前記アクセス端末において、前記所定のゲーティングパターンを利用することを中止することを前記判断することは、自律的に行われる、請求項１に記載の方法。
【請求項９】
ワイヤレス通信ネットワークにおける動作のために構成されたアクセス端末であって、
所定のゲーティングパターンを利用して逆方向リンクトラフィックチャネルを送信するための手段
を備え、
前記アクセス端末において、前記ワイヤレス通信ネットワークの性能メトリックを判断するための手段と、
前記ワイヤレス通信ネットワークの前記性能メトリックに従って、前記所定のゲーティングパターンを前記利用することを中止することを判断するための手段と
によって特徴付けられる、アクセス端末。
【請求項１０】
前記ワイヤレス通信ネットワークの前記性能メトリックが、基地局の順方向リンク電力制御設定点を備える、請求項９に記載のアクセス端末。
【請求項１１】
前記所定のゲーティングパターンを前記利用することを中止することを判断するための前記手段は、前記順方向リンク電力制御設定点が最大設定点の所定の量内にあると判断するための手段を備える、請求項１０に記載のアクセス端末。
【請求項１２】
前記ワイヤレス通信ネットワークの前記性能メトリックに従って、前記アクセス端末において、前記所定のゲーティングパターンを利用することを中止することを判断するための前記手段は、自律的に決定するための手段を備える、請求項９に記載のアクセス端末。
【請求項１３】
送信するための前記手段および判断するための手段は、プロセッサを備え、
前記少なくとも１つのプロセッサに通信可能に結合されたメモリと、
前記少なくとも１つのプロセッサに通信可能に結合された通信インターフェースと
をさらに備える、請求項１０に記載のアクセス端末。
【請求項１４】
ワイヤレス通信ネットワークにおける動作のために構成されたアクセス端末中で動作可能なコンピュータ可読記憶媒体であって、
コンピュータに、請求項１乃至８のいずれかに記載の方法を実装させるための命令
を備える、コンピュータ可読記憶媒体。
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
特定のフォーマットの情報を、それぞれが対応ビットバーコードを有する、ビットストリームの複数ビット列へと変換すること、
前記複数ビット列を１塩基のエンコードにつき１ビットを用いて複数の対応オリゴヌクレオチド配列へと変換すること、
前記複数の対応オリゴヌクレオチド配列を合成すること、および
合成した前記複数の対応オリゴヌクレオチド配列を保存すること
を含む、ヌクレオチドを用いた情報記憶方法。
【請求項２】
前記オリゴヌクレオチド配列が、データブロック配列、前記ビットストリーム中におけるデータブロックの位置を指定するためのアドレス配列、またはオリゴヌクレオチドの両端に位置する増幅およびシークエンシングのための隣接共通配列、のうちの、１つまたは複数または全てを含む、請求項１に記載の方法。
【請求項３】
複数のオリゴヌクレオチド配列を増幅すること、
増幅した前記オリゴヌクレオチド配列をシークエンシングすること、
前記オリゴヌクレオチド配列をビット列へと変換すること、および
前記ビット列を特定のフォーマットの情報へと変換すること
を含む、特定のフォーマットの情報のビット列をコードする複数の合成オリゴヌクレオチド配列から前記特定のフォーマットの情報を回収する方法。
【請求項４】
前記オリゴヌクレオチド配列が、データブロック配列、ビットストリーム中におけるデータブロックの位置を指定するためのアドレス配列、またはオリゴヌクレオチドの両端に位置する増幅およびシークエンシングのための隣接共通配列、のうちの、１つまたは複数または全てを含む、請求項３に記載の方法。
【請求項５】
複数のオリゴヌクレオチド配列を増幅すること、
増幅した前記オリゴヌクレオチド配列をシークエンシングすること、
前記オリゴヌクレオチド配列をビット列へと変換すること、
前記ビット列を特定のフォーマットの情報へと変換すること、および
前記特定のフォーマットの情報を可視化すること
を含む、特定のフォーマットの情報のビット列をコードする複数の合成オリゴヌクレオチド配列から前記特定のフォーマットの情報にアクセスする方法。
【請求項６】
前記オリゴヌクレオチド配列が、データブロック配列、ビットストリーム中におけるデータブロックの位置を指定するためのアドレス配列、またはオリゴヌクレオチドの両端に位置する増幅およびシークエンシングのための隣接共通配列、のうちの、１つまたは複数または全てを含む、請求項５に記載の方法。
【請求項７】
特定のフォーマットの情報をビットストリームへと変換すること、
第一のビット列を対応するオリゴヌクレオチド配列へとエンコードすること、
前記オリゴヌクレオチド配列を合成すること、
前記オリゴヌクレオチド配列をシークエンシングすること、
前記オリゴヌクレオチド配列をビット列へとデコードすること、
前記ビット列をビットストリームへとアセンブルすること、および
前記ビットストリームを前記特定のフォーマットの情報へと変換すること
を含む、ヌクレオチドを用いた情報記憶方法。
【請求項８】
前記オリゴヌクレオチド配列が、データブロック配列、前記ビットストリーム中におけるデータブロックの位置を指定するためのアドレス配列、またはオリゴヌクレオチドの両端に位置する増幅およびシークエンシングのための隣接共通配列、のうちの、１つまたは複数または全てを含む、請求項７に記載の方法。
【請求項９】
特定のフォーマットの情報を第一のビットストリームへと変換すること、
第一のビット列を対応オリゴヌクレオチド配列へとエンコードすること、
前記オリゴヌクレオチド配列を合成すること、
前記オリゴヌクレオチド配列をシークエンシングすること、
前記オリゴヌクレオチド配列を第二のビット列へとデコードすること、
前記第二のビット列を第二のビットストリームへとアセンブルすること、および
前記第二のビットストリームを前記特定のフォーマットの情報へと変換すること
を含む、ヌクレオチドを用いた情報記憶方法。
【請求項１０】
前記オリゴヌクレオチド配列が、データブロック配列、前記ビットストリーム中におけるデータブロックの位置を指定するためのアドレス配列、またはオリゴヌクレオチドの両端に位置する増幅およびシークエンシングのための隣接共通配列、のうちの、１つまたは複数または全てを含む、請求項９に記載の方法。
【請求項１１】
第一のフォーマットの情報を第一のビットストリームへと変換すること、
第一のビット列を対応オリゴヌクレオチド配列へとエンコードすること、
前記オリゴヌクレオチド配列を合成すること、
前記オリゴヌクレオチド配列をシークエンシングすること、
前記オリゴヌクレオチド配列を第二のビット列へとデコードすること、
前記第二のビット列を第二のビットストリームへとアセンブルすること、および
前記第二のビットストリームを第二のフォーマットの情報へと変換すること
を含む、ヌクレオチドを用いた情報記憶方法。
【請求項１２】
前記オリゴヌクレオチド配列が、データブロック配列、前記ビットストリーム中におけるデータブロックの位置を指定するためのアドレス配列、またはオリゴヌクレオチドの両端に位置する増幅およびシークエンシングのための隣接共通配列、のうちの、１つまたは複数または全てを含む、請求項１１に記載の方法。
【請求項１３】
増幅したオリゴヌクレオチド配列をシークエンシングすること、
前記オリゴヌクレオチド配列をビット列へと変換すること、および
前記ビット列を特定のフォーマットの情報へと変換すること
を含む、特定のフォーマットの情報のビット列をコードする複数の合成オリゴヌクレオチド配列から前記特定のフォーマットの情報を回収する方法。
【請求項１４】
前記オリゴヌクレオチド配列が、データブロック配列、ビットストリーム中におけるデータブロックの位置を指定するためのアドレス配列、またはオリゴヌクレオチドの両端に位置する増幅およびシークエンシングのための隣接共通配列、のうちの、１つまたは複数または全てを含む、請求項１３に記載の方法。
【請求項１５】
増幅したオリゴヌクレオチド配列をシークエンシングすること、
前記オリゴヌクレオチド配列をビット列へと変換すること、
前記ビット列を特定のフォーマットの情報へと変換すること、および
前記特定のフォーマットの情報を可視化すること
を含む、特定のフォーマットの情報のビット列をコードする複数の合成オリゴヌクレオチド配列から前記特定のフォーマットの情報にアクセスする方法。
【請求項１６】
前記オリゴヌクレオチド配列が、データブロック配列、ビットストリーム中におけるデータブロックの位置を指定するためのアドレス配列、またはオリゴヌクレオチドの両端に位置する増幅およびシークエンシングのための隣接共通配列、のうちの、１つまたは複数または全てを含む、請求項１５に記載の方法。
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
細胞を検出するための方法であって、
対象由来の生物学的試料から得た細胞を微小液滴中に内包化することであって、ここで、少なくとも１つの細胞が前記微小液滴中に存在するものであること；
細胞溶解に効果的な条件下で前記微小液滴をインキュベートすること；
ポリメラーゼ連鎖反応（ＰＣＲ）試薬、検出成分、および複数のＰＣＲプライマーを前記微小液滴中へと導入すること、および、ＰＣＲ増幅が可能な条件下で前記微小液滴をインキュベートして、ＰＣＲ増幅産物を産生することであって、ここで、前記複数のＰＣＲプライマーは、１以上のオリゴヌクレオチドに対してそれぞれハイブリダイズする１以上のプライマーを含有するものであること；および、
前記検出成分の検出により前記ＰＣＲ増幅産物の存在または非存在を検出することであって、ここで、前記検出成分の検出は、ＰＣＲ増幅産物の存在を示すこと
を含み、ここで、１以上のステップは、マイクロ流体学的制御の下で行われる、方法。
【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
糖尿病又は耐糖能障害（ＩＧＴ）に罹患しているヒト対象において食事によってもたらされる血中グルコースレベルを緩和するための飲料であって、
飲料１回分当たり乾燥重量基準で少なくとも８ｇの総量の、アミノ酸、ペプチド及びタンパク質からなる群から選択される少なくとも１種の水溶性又は水分散性化合物と、
１回分当たり７０ｍｌ〜４００ｍｌの量の水性液体と、
を含み、本明細書に記載のシアバンド形成試験を施すとシアバンド形成を呈する飲料。
【請求項２】
飲料１回分当たり乾燥重量基準で１０ｇ以下の量の多糖をさらに含む、請求項１に記載の飲料。
【請求項３】
水溶性又は水分散性化合物は、飲料組成物の乾燥重量基準で１０ｇ〜４０ｇの量で存在するタンパク質である、請求項１又は２に記載の飲料。
【請求項４】
水溶性又は水分散性化合物は、カゼイン及びその塩並びにホエー及びホエーの加水分解産物からなる群から選択される植物又は動物由来のタンパク質である、請求項１〜３のいずれか一項に記載の飲料。
【請求項５】
ガラクトマンナンガムである多糖を含む、請求項１〜４のいずれか一項に記載の飲料。
【請求項６】
全多糖含有量が１回分当たり１ｇ〜８ｇである、請求項１〜５のいずれか一項に記載の飲料。
【請求項７】
ビグアニド、酵素阻害剤、スルホニル尿素、メグリチニド、チアゾリジンジオン、並びにインスリン及びインスリンアナログからなる群から選択される糖尿病薬を併用して、糖尿病又はＩＧＴに罹患している対象を治療するための、請求項１〜６のいずれか一項に記載の飲料。
【請求項８】
食事の摂取前３０分以内から食事の摂取直前までの時間に、糖尿病又はＩＧＴに罹患している対象に投与するための、請求項１〜７のいずれか一項に記載の飲料。
【請求項９】
本明細書で定義されているシアバンド形成界面が、駆動回転シリンダーから２．５ｍｍ〜１８ｍｍの距離にある、請求項１〜８のいずれか一項に記載の飲料。
【請求項１０】
（ｉ）水溶性又は水分散性化合物は、飲料１回分当たり乾燥重量基準で１０ｇ〜２５ｇの量のホエータンパク質であり、
（ｉｉ）水性液体の量は１回分当たり１２５ｍｌ〜１７５ｍｌであり、
（ｉｉｉ）組成物は、グアーガムから選択される多糖を含み、グアーガムは、飲料１回分当たり乾燥重量基準で４ｇ〜６ｇの量で存在する、
請求項１〜９のいずれか一項に記載の飲料。
【請求項１１】
糖尿病又は耐糖能障害（ＩＧＴ）に罹患しているヒト対象において食後の血中グルコースレベルを緩和するための１回分の飲料を提供するためのキットであって、
飲料１回分当たり乾燥重量基準で少なくとも８ｇの総量の、アミノ酸、ペプチド及びタンパク質からなる群から選択される少なくとも１回分の水溶性又は水分散性物質と、
７０ｍｌ〜４００ｍｌの液体体積を表示するレベルを有する容器と、
容器のための蓋と、
消費前の激しい混合を可能にする、容器内の前記レベルから上の空間であって、粉末と前記レベルまで充填された水との混合は、本明細書に記載の標準回転シリンダーシアバンド形成試験でシアバンド形成を呈する飲料を提供する、空間と、
を含むキット。
【請求項１２】
水溶性又は水分散性物質は、カゼイン及びその塩並びにホエー及びホエーの加水分解産物からなる群から選択されるタンパク質である、請求項１１に記載のキット。
【請求項１３】
ガラクトマンナンガムから選択される多糖を１回分当たり１ｇ〜８ｇの量で含む、請求項１１又は１２に記載のキット。
【請求項１４】
容器は蓋を有し、液体及び粉末の体積より少なくとも２０％大きい容積を有する、請求項１１〜１３のいずれか一項に記載のキット。
【請求項１５】
（ｉ）水溶性又は水分散性物質は、飲料１回分当たり１０ｇ〜２５ｇの量のホエータンパク質であり、
（ｉｉ）多糖は、１回分当たり４ｇ〜６ｇの量のグアーガムであり、
（ｉｉｉ）容器は、１２５ｍｌ〜１７５ｍｌの液体体積を表示するレベルを有する、
請求項１１〜１４のいずれか一項に記載のキット。
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
アクセスユニット（ＡＵ）中の第１の復号ユニット（ＤＵ）のコード化ピクチャバッファ（ＣＰＢ）除去時間と第２のＤＵのＣＰＢ除去時間との間の持続時間を復号することと、ここにおいて、前記第２のＤＵは復号順序において、前記第１のＤＵの後であり、前記第１のＤＵと同じＡＵ中にある、
前記復号された持続時間に少なくとも部分的に基づいて、前記第１のＤＵの前記ＣＰＢ除去時間を決定することと、
前記ＣＰＢ除去時間に少なくとも部分的に基づいて、前記第１のＤＵのビデオデータを復号することと、
ここにおいて、前記第２のＤＵは、復号順序において、前記ＡＵ中の前記第１のＤＵの直後である、
を備える方法。
【請求項２】
１つまたは複数のサブピクチャレベルＣＰＢパラメータを復号することをさらに備え、前記第１のＤＵの前記ＣＰＢ除去時間を決定することは、前記復号された持続時間および前記サブピクチャレベルＣＰＢパラメータに少なくとも部分的に基づいて、前記第１のＤＵの前記ＣＰＢ除去時間を決定することを備える、請求項１に記載の方法。
【請求項３】
１つまたは複数のサブピクチャレベルＣＰＢパラメータを復号することは、
前記第１のＤＵに関連付けられたサブピクチャタイミングサプルメンタルエンハンスメント(supplemental enhancement)情報（ＳＥＩ）メッセージを復号することを備える、請求項２に記載の方法。
【請求項４】
前記第２のＤＵは、復号順序において、前記ＡＵ中の最後のＤＵであり、前記サブピクチャＳＥＩメッセージを復号することは、
前記サブピクチャタイミングＳＥＩメッセージ中の前記最後のＤＵの除去時間と前記第１のＤＵの前記ＣＰＢ除去時間との間の前記持続時間を復号することを備える、請求項３に記載の方法。
【請求項５】
ピクチャタイミングＳＥＩメッセージ中またはサブピクチャタイミングＳＥＩメッセージ中のどちらかでの前記サブピクチャレベルＣＰＢパラメータの存在を示すためのシーケンスレベルフラグを復号することをさらに備える、請求項２に記載の方法。
【請求項６】
前記ＡＵは、０に等しいＴｅｍｐｏｒａｌＩｄを有し、前記方法は、
前記ＡＵに関連付けられた、バッファリング期間サプルメンタルエンハンスメント情報（ＳＥＩ）メッセージまたはリカバリポイントＳＥＩメッセージのうち少なくとも１つを復号することをさらに備える、請求項１に記載の方法。
【請求項７】
前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ６３の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ビデオコーディングレイヤ（ＶＣＬ）ネットワークアブストラクションレイヤ（ＮＡＬ）ユニットを備える、請求項１に記載の方法。
【請求項８】
前記第１のＤＵが前記ＡＵであるかどうかを定義するシンタックス要素の値にかかわらず、アクセスユニットレベルとサブピクチャレベルの両方で、前記ＡＵについてのＣＰＢ到着時間およびＣＰＢ名目除去時間のうち少なくとも１つを導出することをさらに備える、請求項１に記載の方法。
【請求項９】
１つまたは複数のピクチャレベルＣＰＢパラメータを復号することをさらに備え、前記第１のＤＵの前記ＣＰＢ除去時間を決定することは、前記復号された持続時間および前記ピクチャレベルＣＰＢパラメータに少なくとも部分的に基づいて、前記第１のＤＵの前記ＣＰＢ除去時間を決定することを備える、請求項１に記載の方法。
【請求項１０】
１つまたは複数のピクチャレベルＣＰＢパラメータを復号することは、
前記第１のＤＵに関連付けられたピクチャタイミングサプルメンタルエンハンスメント情報（ＳＥＩ）メッセージを復号することを備える、請求項１に記載の方法。
【請求項１１】
アクセスユニット（ＡＵ）中の第１の復号ユニット（ＤＵ）のコード化ピクチャバッファ（ＣＰＢ）除去時間と第２のＤＵのＣＰＢ除去時間との間の持続時間を復号するための手段と、ここにおいて、前記第２のＤＵは復号順序において、前記第１のＤＵの後であり、前記第１のＤＵと同じＡＵ中にある、
前記復号された持続時間に少なくとも部分的に基づいて、前記第１のＤＵの前記ＣＰＢ除去時間を決定するための手段と、
前記ＣＰＢ除去時間に少なくとも部分的に基づいて、前記第１のＤＵのビデオデータを復号するための手段と、
ここにおいて、前記第２のＤＵは、復号順序において、前記ＡＵ中の前記第１のＤＵの直後である、
を備えるビデオ復号デバイス。
【請求項１２】
１つまたは複数のサブピクチャレベルＣＰＢパラメータを復号するための手段をさらに備え、前記第１のＤＵの前記ＣＰＢ除去時間を決定するための手段は、前記復号された持続時間および前記サブピクチャレベルＣＰＢパラメータに少なくとも部分的に基づいて、前記第１のＤＵの前記ＣＰＢ除去時間を決定するための手段を備える、請求項１１に記載のビデオ復号デバイス。
【請求項１３】
ピクチャタイミングＳＥＩメッセージ中またはサブピクチャタイミングＳＥＩメッセージ中のどちらかでの前記サブピクチャレベルＣＰＢパラメータの存在を示すためのシーケンスレベルフラグを復号するための手段をさらに備える、請求項１２に記載のビデオ復号デバイス。
【請求項１４】
１つまたは複数のピクチャレベルＣＰＢパラメータを復号するための手段をさらに備え、前記第１のＤＵの前記除去時間を決定するための手段は、前記復号された持続時間および前記ピクチャレベルＣＰＢパラメータに少なくとも部分的に基づいて、前記第１のＤＵの前記除去時間を決定するための手段を備える、請求項１１に記載のビデオ復号デバイス。
【請求項１５】
命令を記憶したコンピュータ可読記憶媒体であって、前記命令は、実行されると、プロセッサに、請求項１から１０のいずれかに従って方法を実行させる、コンピュータ可読記憶媒体。
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、前記方法は、
ビデオデータを受信することと、
前記受信されたビデオデータにおける任意のピクチャがフレームパッキングされたステレオスコピック３Ｄビデオデータを含むかどうかを示す指示を受信することと、ここにおいて、前記指示は、プロファイルシンタックス、ティアシンタックス、またはレベルシンタックスの少なくとも１つにおいて受信される、
前記受信された指示が、前記受信されたビデオデータにおけるすべてのピクチャがフレームパッキングされたステレオスコピック３Ｄビデオデータを含まず、前記受信されたビデオデータがフレームパッキング構成（ＦＰＡ）サプリメンタルエンハンスメント情報（ＳＥＩ）メッセージを含まないことを示す場合、前記受信されたビデオデータを復号することと、
前記受信された指示が、フレームパッキングされたステレオスコピック３Ｄビデオデータを含む前記受信されたビデオデータの中に１つ以上のピクチャが存在し得、前記受信されたビデオデータは１つ以上のＦＰＡ  ＳＥＩメッセージを含むことを示す場合、前記受信されたビデオデータを拒絶することと、を具備する方法。
【請求項２】
ビデオデータを符号化するための方法であって、前記方法は、
ビデオデータを符号化することと、
前記符号化されたビデオデータにおける任意のピクチャがフレームパッキングされたステレオスコピック３Ｄビデオデータを含むかどうかを示す指示を生成することと、ここにおいて、前記指示は、プロファイルシンタックス、ティアシンタックス、またはレベルシンタックスの少なくとも１つにおいて生成される、
符号化されたビデオビットストリームにおいて前記指示をシグナリングすることと、を具備する方法。
【請求項３】
前記指示は、フラグを具備し、０に等しいフラグ値は、前記受信された／符号化されたビデオデータにおけるすべてのピクチャがフレームパッキングされたステレオスコピック３Ｄビデオデータを含まず、前記受信された／符号化されたビデオデータがフレームパッキング構成（ＦＰＡ）サプリメンタルエンハンスメント情報（ＳＥＩ）メッセージを含まない、ことを示し、１に等しいフラグ値は、フレームパッキングされたステレオスコピック３Ｄビデオデータを含む前記受信された／符号化されたビデオデータの中に１つ以上のピクチャが存在し得、前記受信された／符号化されたビデオデータは１つ以上のＦＰＡ  ＳＥＩメッセージを含むことを示す、請求項１または２に記載の方法。
【請求項４】
ビデオパラメータセットおよびシーケンスパラメータセットの少なくとも１つにおいて前記指示を受信／シグナリングすることをさらに具備する、請求項１または２に記載の方法。
【請求項５】
ビデオファイルフォーマット情報のサンプルエントリにおいて前記指示を受信／シグナリングすることをさらに具備する、請求項１または２に記載の方法。
【請求項６】
サンプル記述、セッション記述プロトコル（ＳＤＰ）ファイル、そしてメディア表示記述（ＭＰＤ）の１つにおいて前記指示を受信／シグナリングすることをさらに具備する、請求項５に記載の方法。
【請求項７】
前記指示は、ＲＴＰペイロードにおけるパラメータであり、および／また前記指示は、受信器実装の能力要求をさらに示すパラメータである、請求項１または２に記載の方法。
【請求項８】
ビデオデータを復号するように構成された装置であって、前記装置は、
ビデオデータを受信するための手段と、
前記受信されたビデオデータにおける任意のピクチャがフレームパッキングされたステレオスコピック３Ｄビデオデータを含むかどうかを示す指示を受信するための手段と、ここにおいて、前記指示は、プロファイルシンタックス、ティアシンタックス、またはレベルシンタックスの少なくとも１つにおいて受信される、
前記受信された指示が、前記受信されたビデオデータにおけるすべてのピクチャがフレームパッキングされたステレオスコピック３Ｄビデオデータを含まず、前記受信されたビデオデータがフレームパッキング構成（ＦＰＡ）サプリメンタルエンハンスメント情報（ＳＥＩ）メッセージを含まないことを示す場合、前記受信されたビデオデータを復号するための手段と、
前記受信された指示が、フレームパッキングされたステレオスコピック３Ｄビデオデータを含む前記受信されたビデオデータの中に１つ以上のピクチャが存在し得、前記受信されたビデオデータは１つ以上のＦＰＡ  ＳＥＩメッセージを含むことを示す場合、前記受信されたビデオデータを拒絶するための手段と、を備える装置。
【請求項９】
ビデオデータを符号化するように構成された装置であって、前記装置は、
ビデオデータを符号化するための手段と、
前記符号化されたビデオデータにおける任意のピクチャがフレームパッキングされたステレオスコピック３Ｄビデオデータを含むかどうかを示す指示を生成するための手段と、ここにおいて、前記指示は、プロファイルシンタックス、ティアシンタックス、またはレベルシンタックスの少なくとも１つにおいて生成される、
符号化されたビデオビットストリームにおいて前記指示をシグナリングするための手段と、を具備する装置。
【請求項１０】
前記指示はフラグを具備し、０に等しいフラグ値は、前記受信された／符号化されたビデオデータにおけるすべてのピクチャは、フレームパッキングされたステレオスコピック３Ｄビデオデータを含まず、かつ、前記受信された／符号化されたビデオデータは、フレームパッキング構成（ＦＰＡ）サプリメンタルエンハンスメント情報（ＳＥＩ）メッセージを含まないことを示し、１に等しいフラグ値は、フレームパッキングされたステレオスコピック３Ｄビデオデータを含む前記受信された／符号化されたビデオデータ内に１つ以上のピクチャが存在しＲ得、前記受信された／符号化されたビデオデータは、１つ以上のＦＰＡ  ＳＥＩメッセージを含む、請求項８または９に記載の装置。
【請求項１１】
前記ビデオデコーダはさらに、ビデオパラメータセットおよびシーケンスパラメータセットの少なくとも１つにおいて前記指示を受信／シグナリングするように構成される請求項８または９に記載の装置。
【請求項１２】
前記ビデオデコーダはさらに、ビデオファイルフォーマット情報のサンプルエントリにおいて前記指示を受信するように構成される請求項８または９に記載の装置。
【請求項１３】
前記ビデオデコーダはさらに、サンプル記述、セッション記述プロトコル（ＳＤＰ）ファイル、そしてメディアプレゼンテーション記述（ＭＰＤ）の１つにおいて前記指示を受信するように構成される請求項１２に記載の装置。
【請求項１４】
前記指示は、ＲＴＰペイロードにおけるパラメータであり、および／または
前記指示は、受信機実装の能力要求をさらに示すパラメータである請求項８または９に記載の装置。
【請求項１５】
実行されたときに、１つ以上のプロセッサに請求項１から７のいずれかにしたがった前記方法を実行させる、命令を記憶するコンピュータ読み取り可能な記憶媒体。
【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
アクセスユニット（ＡＵ）中の第１の復号ユニット（ＤＵ）のコード化ピクチャバッファ（ＣＰＢ）除去時間と第２のＤＵのＣＰＢ除去時間との間の持続時間を復号することと、ここにおいて、前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ６３の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ビデオコーディングレイヤ（ＶＣＬ）ネットワークアブストラクションレイヤ（ＮＡＬ）ユニットを備える、
前記復号された持続時間に少なくとも部分的に基づいて、前記第１のＤＵの除去時間を決定することと、
前記除去時間に少なくとも部分的に基づいて、前記第１のＤＵのビデオデータを復号することと
を備える方法。
【請求項２】
前記第２のＤＵは、復号順序において、前記第１のＤＵの後であり、前記第１のＤＵと同じＡＵ中にある、請求項１に記載の方法。
【請求項３】
前記第２のＤＵは、復号順序において、前記ＡＵ中の前記第１のＤＵの直後である、請求項２に記載の方法。
【請求項４】
前記第２のＤＵは、復号順序において、前記ＡＵ中の最後のＤＵである、請求項２に記載の方法。
【請求項５】
１つまたは複数のサブピクチャレベルＣＰＢパラメータを復号すること、ここにおいて、前記第１のＤＵの前記除去時間を決定することは、前記復号された持続時間および前記サブピクチャレベルＣＰＢパラメータに少なくとも部分的に基づいて、前記第１のＤＵの前記除去時間を決定することを備える、
をさらに備える、請求項１に記載の方法。
【請求項６】
１つまたは複数のサブピクチャレベルＣＰＢパラメータを復号することは、
前記第１のＤＵに関連付けられたサブピクチャタイミングサプルメンタルエンハンスメント情報（ＳＥＩ）メッセージを復号すること
を備える、請求項５に記載の方法。
【請求項７】
前記第２のＤＵは、復号順序において、前記ＡＵ中の最後のＤＵであり、前記サブピクチャＳＥＩメッセージを復号することは、
前記サブピクチャタイミングＳＥＩメッセージ中の前記最後のＤＵの除去時間と前記第１のＤＵの前記除去時間との間の前記持続時間を復号すること
を備える、請求項６に記載の方法。
【請求項８】
ピクチャタイミングＳＥＩメッセージ中またはサブピクチャタイミングＳＥＩメッセージ中での前記サブピクチャレベルＣＰＢパラメータの存在を判断するためのシーケンスレベルフラグを復号すること
をさらに備える、請求項５に記載の方法。
【請求項９】
前記ＡＵは、０に等しいＴｅｍｐｏｒａｌＩｄを有し、前記方法は、
前記ＡＵに関連付けられた、バッファリング期間サプルメンタルエンハンスメント情報（ＳＥＩ）メッセージまたは回復点ＳＥＩメッセージのうち少なくとも１つを復号すること
をさらに備える、請求項１に記載の方法。
【請求項１０】
前記ＡＵが単一のＤＵのみを含むかどうかを定義するシンタックス要素の値にかかわらず、アクセスユニットレベルとサブピクチャレベルの両方で、前記ＡＵについてのＣＰＢ到着時間を導出することと、ここにおいて、サブピクチャレベルで前記ＡＵについての前記ＣＰＢ到着時間を導出することは、前記ＡＵ中の第１のＤＵの前記ＣＰＢ到着時間を導出することを備える、
をさらに備える、請求項１に記載の方法。
【請求項１１】
ビデオデータを符号化するための方法であって、
第１のＤＵを含むＡＵについて、第２のＤＵのＣＰＢ除去時間を決定することと、ここにおいて、前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ６３の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ＶＣＬ ＮＡＬユニットを備える、
前記第１のＤＵのＣＰＢ除去時間と前記第２のＤＵの前記決定されたＣＰＢ除去時間との間の持続時間を決定することと、
前記決定された持続時間を符号化することと
を備える方法。
【請求項１２】
ビデオデータを復号するためのビデオ復号デバイスであって、
アクセスユニット（ＡＵ）中の第１の復号ユニット（ＤＵ）のコード化ピクチャバッファ（ＣＰＢ）除去時間と第２のＤＵのＣＰＢ除去時間との間の持続時間を復号するための手段と、ここにおいて、前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ６３の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ＶＣＬ ＮＡＬユニットを備える、
前記復号された持続時間に少なくとも部分的に基づいて、前記第１のＤＵの除去時間を決定するための手段と、
前記除去時間に少なくとも部分的に基づいて、前記第１のＤＵのビデオデータを復号するための手段と
を備えるデバイス。
【請求項１３】
請求項１乃至１０のいずれかに記載の方法を実行するための手段を備える、請求項１２に記載のデバイス。
【請求項１４】
ビデオデータを符号化するためのビデオ符号化デバイスであって、
第１のＤＵを含むＡＵについて、第２のＤＵのＣＰＢ除去時間を決定するための手段と、ここにおいて、前記第２のＤＵは、復号順序において、前記第１のＤＵの後であり、前記第１のＤＵと同じＡＵ中にある、およびここにおいて、前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ６３の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ＶＣＬ ＮＡＬユニットを備える、
前記第１のＤＵのＣＰＢ除去時間と前記第２のＤＵの前記決定されたＣＰＢ除去時間との間の持続時間を決定するための手段と、
前記決定された持続時間を符号化するための手段と
を備えるデバイス。
【請求項１５】
実行されると、デバイスのプロセッサに、請求項１乃至１１のいずれかに記載の方法を実行させる、命令を記憶したコンピュータ可読記憶媒体。
【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、前記方法は、
アクセスユニット（ＡＵ）の復号ユニット（ＤＵ）についての１つまたは複数のサブピクチャレベルコード化ピクチャバッファ（ＣＰＢ）パラメータが存在する、２つの場所のうちの１つの場所を判断するためのシーケンスレベルフラグを復号することと、ここにおいて、前記２つの場所は、前記ＤＵに関連付けられたピクチャタイミングサプルメンタルエンハンスメント情報（ＳＥＩ）メッセージおよび前記ＤＵに関連付けられたサブピクチャタイミングＳＥＩメッセージである、
前記シーケンスレベルフラグに基づいて、前記ピクチャタイミングＳＥＩメッセージまたは前記サブピクチャタイミングＳＥＩメッセージから、前記１つまたは複数のサブピクチャレベルＣＰＢパラメータを復号することと
を備える方法。
【請求項２】
前記１つまたは複数のサブピクチャレベルＣＰＢパラメータは、前記ピクチャタイミングＳＥＩメッセージまたは前記サブピクチャタイミングＳＥＩメッセージのうちただ１つの中に存在する、請求項１に記載の方法。
【請求項３】
前記１つまたは複数のサブピクチャレベルＣＰＢパラメータに少なくとも部分的に基づいて、前記ＤＵのＣＰＢ除去時間を決定することをさらに備え、ここにおいて、前記ＤＵの前記ＣＰＢ除去時間を決定することは、好ましくは初期ＣＰＢ除去遅延とオフセットとを復号することなく、前記ＤＵの前記ＣＰＢ除去時間を決定することを備える、請求項１に記載の方法。
【請求項４】
前記シーケンスレベルフラグは、前記サブピクチャレベルＣＰＢパラメータが前記サブピクチャタイミングＳＥＩメッセージ中に存在することを示し、前記サブピクチャレベルＣＰＢパラメータを復号することは、前記ＤＵに関連付けられた前記サブピクチャタイミングＳＥＩメッセージを復号することを備え、および／または
前記シーケンスレベルフラグは、前記サブピクチャレベルＣＰＢパラメータが前記ピクチャタイミングＳＥＩメッセージ中に存在することを示し、前記サブピクチャレベルＣＰＢパラメータを復号することは、前記ＤＵに関連付けられた前記ピクチャタイミングＳＥＩメッセージを復号することを備える、
請求項１に記載の方法。
【請求項５】
前記ＤＵが第１のＤＵであって、前記方法は、
前記サブピクチャレベルＣＰＢパラメータに少なくとも部分的に基づいて、前記第１のＤＵのＣＰＢ除去時間を導出することと、
復号順序において、前記ＡＵの第２のＤＵのＣＰＢ除去時間と、前記第１のＤＵの前記ＣＰＢ除去時間との間の持続時間を復号することと、
前記ＣＰＢ除去時間に少なくとも部分的に基づいて、前記第１のＤＵのビデオデータを復号することと、を備え、
ここにおいて、好ましくは、前記第２のＤＵが、復号順序において前記ＡＵ中の最後のＤＵ、または復号順序において、前記ＡＵ中の前記第１のＤＵの直後のいずれかである、
請求項１に記載の方法。
【請求項６】
前記ＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ１２の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ビデオコーディングレイヤ（ＶＣＬ）ネットワークアブストラクションレイヤ（ＮＡＬ）ユニットを備える、請求項１に記載の方法。
【請求項７】
前記ＡＵは、０に等しいＴｅｍｐｏｒａｌＩｄを有し、前記方法は、
前記ＡＵに関連付けられた、バッファリング期間ＳＥＩメッセージまたはリカバリポイントＳＥＩメッセージのうち少なくとも１つを復号することをさらに備える、請求項１に記載の方法。
【請求項８】
前記ＡＵが単一のＤＵのみを含むかどうかを定義するシンタックス要素の値にかかわらず、アクセスユニットレベルとサブピクチャレベルの両方で、前記ＡＵについてのＣＰＢ到着時間を導出することをさらに備え、ここにおいて、サブピクチャレベルで前記ＡＵについての前記ＣＰＢ到着時間を導出することは、前記ＡＵ中の第１のＤＵの前記ＣＰＢ到着時間を導出することを備える、請求項１に記載の方法。
【請求項９】
ビデオデータを符号化するための方法であって、前記方法は、
ピクチャタイミングＳＥＩメッセージまたはサブピクチャタイミングＳＥＩメッセージ中のアクセスユニット（ＡＵ）の復号ユニット（ＤＵ）についての１つまたは複数のサブピクチャレベルコード化ピクチャバッファ（ＣＰＢ）パラメータを符号化することと、
ＡＵのＤＵについての１つまたは複数のサブピクチャレベルＣＰＢパラメータが存在する、２つの場所のうちの１つの場所を示すためのシーケンスレベルフラグを符号化することと、ここにおいて、前記２つの場所は、前記ＤＵに関連付けられた前記ピクチャタイミングＳＥＩメッセージまたは前記サブピクチャタイミングＳＥＩメッセージである、
を備える方法。
【請求項１０】
前記１つまたは複数のサブピクチャレベルＣＰＢパラメータを符号化することは、前記ピクチャタイミングＳＥＩメッセージまたは前記サブピクチャタイミングＳＥＩメッセージのうちのただ１つの中の前記１つまたは複数のサブピクチャレベルＣＰＢパラメータを符号化することを備える、請求項９に記載の方法。
【請求項１１】
アクセスユニット（ＡＵ）の復号ユニット（ＤＵ）についての１つまたは複数のサブピクチャレベルコード化ピクチャバッファ（ＣＰＢ）パラメータが存在する、２つの場所のうちの１つの場所を判断するためのシーケンスレベルフラグを復号するための手段と、ここにおいて、前記２つの場所は、前記ＤＵに関連付けられたピクチャタイミングサプルメンタルエンハンスメント情報（ＳＥＩ）メッセージまたはサブピクチャタイミングＳＥＩメッセージである、
前記シーケンスレベルフラグに基づいて、前記ピクチャタイミングＳＥＩメッセージまたは前記サブピクチャタイミングＳＥＩメッセージから、前記１つまたは複数のサブピクチャレベルＣＰＢパラメータを復号するための手段と
を備えるビデオ復号デバイス。
【請求項１２】
請求項２乃至８のいずれかにしたがう方法を実行するための手段を備える、請求項１１に記載のデバイス。
【請求項１３】
ビデオ符号化デバイスであって、前記デバイスは、
ピクチャタイミングＳＥＩメッセージまたはサブピクチャタイミングＳＥＩメッセージ中のアクセスユニット（ＡＵ）の復号ユニット（ＤＵ）についての１つまたは複数のサブピクチャレベルコード化ピクチャバッファ（ＣＰＢ）パラメータを符号化するための手段と、
ＡＵのＤＵについての１つまたは複数のサブピクチャレベルＣＰＢパラメータが存在する２つの場所のうちの１つの場所を示すためのシーケンスレベルフラグを符号化することための手段と、ここにおいて、前記２つの場所は、前記ＤＵに関連付けられた前記ピクチャタイミングＳＥＩメッセージまたは前記サブピクチャタイミングＳＥＩメッセージである、
を備えるビデオ符号化デバイス。
【請求項１４】
請求項１０の前記方法を実行するための手段を備える請求項１３に記載のデバイス。
【請求項１５】
実行されたときに、プロセッサに、請求項１から１０のいずれかにしたがった方法を実行させる命令を記憶したコンピュータ可読記憶媒体。